(57)【要約】      （修正有）【課題】錦鯉を理想的なアングルで容易に撮影できるようにする錦鯉撮影用水槽を提供する。【解決手段】略四角形の平面形状を有し、貯水部が前後方向にわたり略一定の断面形状を有し、該断面形状は中央付近で最も深く、左右両側に向かって浅くなる形状とする。前記貯水部は底部が曲線からなる断面形状を有すると好都合である。錦鯉は「身の安全を図るため少しでも深い所へ行く」という習性のため、中央の深い部分を前後に行き来する。これにより、錦鯉を正面から容易に撮影できる。【選択図】図１
0003130516.tif 000002
【実用新案登録請求の範囲】
【請求項１】
略四角形の平面形状を有し、貯水部が前後方向にわたり略一定の断面形状を有し、該断面形状は中央付近で最も深く、左右両側に向かって浅くなる形状であることを特徴とする錦鯉撮影用水槽。
【請求項２】
前記貯水部は底部が曲線からなる断面形状を有することを特徴とする請求項１に記載の錦鯉撮影用水槽。
【請求項３】
略四角形の水槽にはめ込み、貯水部が前後方向にわたり略一定の断面形状を有し、該断面形状は中央付近で最も深く、左右両側に向かって浅くなる形状を実現するため、中央部が凹んだ曲面部と該曲面部の両側に設けた引っ掛け部を有する錦鯉撮影用アダプタ。
【考案の詳細な説明】
【技術分野】
【０００１】
本考案は、錦鯉撮影用水槽に関し、特に錦鯉を該錦鯉の正面から容易に撮影ができるようにした水槽に関するものである。
【背景技術】
【０００２】
錦鯉の愛好者あるいは生産・販売を行なう業者などは錦鯉を品評会などに出展しまたは雑誌などに掲載する際に、錦鯉の写真撮影を行なう。したがって、水槽の中を泳ぎ回る錦鯉を美しくする撮影するため、通常正面に向かって泳いでくるのを待って撮影をしている。
【０００３】
このような撮影のためには、従来、円形あるいは角形の水槽に水を張り、そこに鯉を放し、正面を向いて泳いでくるのを待って正面から撮影を行なう。
【０００４】
図４は、このような従来の水槽の一例を示す。同図の水槽４１は、長方形の平面形状を有する角形水槽である。該水槽４１は一定の深さを有し、内部に水４３を張り、錦鯉４５を放す。この錦鯉４５を例えば矢印Ａの方向からカメラで撮影する場合には、錦鯉４５がカメラの方向に向かって泳いでくるのを待って撮影をしていた。
【考案の開示】
【考案が解決しようとする課題】
【０００５】
しかしながら、錦鯉４５が正面を向いて泳いでくるのを待って撮影を行なう方法では、撮影に時間および手間がかかるという不都合があった。すなわち、従来のような深さが一定の円形あるいは角形の水槽の中では錦鯉４５は任意の方向および場所に自由に泳ぎ回る。このため、このような錦鯉を愛好家、生産・販売業者などが理想とするアングルで、通常錦鯉の正面上方から、撮影するのには多大の時間と労力を要していた。
【０００６】
このため、撮影者に対して水槽の反対側に補助員が配置され、該補助員が水槽の縁をたたいたりして、錦鯉が撮影者に向かって正面を向いて泳いでくるように仕向ける作業を行なっていた。しかしながら、この作業は時間と労力がかかり、撮影の失敗も多く、撮影のために要する費用も増大するという不都合があった。
【０００７】
したがって、本考案の目的は、上述の従来例の不都合に鑑み、水槽の中央部を深くするという構想に基づき、多大の時間と労力を要することなく錦鯉を理想とするアングルで容易にかつ迅速に撮影できるようにすることにある。
【課題を解決するための手段】
【０００８】
本考案は、略四角形の平面形状を有する錦鯉撮影用水槽において、貯水部が撮影者から見て前後方向にわたり略一定の断面形状を有し、該断面形状は中央付近で最も深く、左右両側に向かって浅くなる形状とすることにより、問題点を解決している。
【０００９】
また、本考案では、前記貯水部は底部が曲線からなる断面形状とすることにより、撮影した写真に余分な線などが写らないようにし、より的確な撮影ができるようにしている。
【００１０】
さらに、本考案では、従来の水槽にはめ込み、貯水部が中央付近で最も深く、左右両側に向って浅くなる形状を実現するため、曲面部および該曲面部の両側に設けた引っ掛け部を有する撮影用アダプタを提供することにより、低価格で錦鯉撮影用水槽を実現可能としている。
【考案の効果】
【００１１】
上述のように、本考案の錦鯉撮影用水槽は、貯水部が前後方向にわたり略一定の断面形状を有しかつ該断面形状が中央付近で最も深く、左右両側に向かって浅くなる形状としたので、錦鯉の「身の安全を図るため少しでも深い所へ行く」という習性を生かし、錦鯉が自然に水槽の中央部を前後方向に向かって泳ぐように仕向けることができる。このため、錦鯉自身も左右の浅い縁に気を散らすことなく前後に行き来するため、撮影者１人であっても、また時間と労力をかけることなくベストアングルでの撮影が可能となる。これにより、撮影などに要する費用も大幅に削減することが可能になる。
【考案を実施するための最良の形態】
【００１２】
本考案に関わる錦鯉撮影用水槽は、好ましくは長方形である略四角形の平面形状を有し、貯水部が前後方向にわたり略一定の断面形状を有し、該断面形状は中央付近で最も深く、左右両側に向かって浅くなる形状とする。また、前記貯水部は底部が曲線からなる断面形状とすると好都合である。
【実施例】
【００１３】
以下、添付図面に従って本考案の一実施例を説明する。
図１は、本考案の一実施例に関わる錦鯉撮影用水槽の斜視図であり、図２は矢印Ａ方向から見た正面図である。
【００１４】
これらの図において、１は耐久性のプラスチクス、ＦＲＰ、鉄、ステンレスなどの適宜の素材にて一体化形成された水槽を示す。３は該水槽１の貯水部に張られた水を示し、５は撮影すべき錦鯉を模式的に示すものである。また、７は水槽１の貯水部の底面を示し、９は支え台を示す。なお、水槽１は平面形状、すなわち上から見た形状、が四角形、特に長方形であると好都合である。但し、該平面形状は他の形状、例えば角を丸くした四角形、楕円形などであってもよい。
【００１５】
図２にも示されているように、水槽１の貯水部は底面７部分が例えば半円形、半楕円形、などの中央付近で最も深く、左右両側に向かって浅くなるような断面形状を有している。なお、貯水部の底部７の断面形状は、例えば、半円形、半楕円形、その他の形状とすることができ、中央部で最も深く、左右両側に向かって浅くなる形状であればよい。
【００１６】
また、貯水部の底面７は曲線からなる滑らかな形状とすることにより、撮影画面に余分な線などが写り込むのを防止することができる。
【００１７】
このような構成を有する水槽１において、貯水部に水３を張り、錦鯉５を放すと、錦鯉５は「身の安全を図るため少しでも深い所へ行く」という習性があるため、水槽の最も深い部分である中央付近を前後方向に行き来することになる。これによって、たとえ撮影者が１人であっても、錦鯉５を正面からベストアングルで撮影することが可能となる。また、時間と労力が節約され、補助員も必ずしも必要としなくなるため、撮影などに要する費用が大幅に削減できる。
【００１８】
図３は、本考案の別の実施例を示す。同図の実施例では、従来の水槽３１にはめ込み、容易に錦鯉の撮影を行なうことができる錦鯉撮影用水槽を実現するための撮影用アダプタ部材３３を示す。同図のアダプタ部材３３は、水槽の底部となる半円形、半楕円形その他の曲線断面を有する曲面部３５と、該曲面部３５の左右両側に設けられた引っ掛け部３７を有している。
【００１９】
このようなアダプタ部材３３は、両側の引っ掛け部３７を水槽３１の縁部３９に載置することにより、図１と同様の構成の水槽が実現できる。
【００２０】
これによって、図１の実施例と同様に、錦鯉は水を張った水槽部の中央付近を前後に行き来し、撮影者がたとえ１人であっても、時間と労力をかけることなく容易に理想的な撮影を行なうことが可能になる。また、このような、アダプタ部材３３を用いることにより、低価格で錦鯉撮影用水槽を構成することが可能になる。
【図面の簡単な説明】
【００２１】
【図１】本考案の一実施例に関わる錦鯉撮影用水槽を示す斜視図である。
【図２】図１の水槽を矢印Ａ方向から見た正面図である。
【図３】本考案の別の実施例に関わる錦鯉撮影用水槽実現のためのアダプタ部材および、該アダプタ部材を従来の水槽にセットする様子を示す斜視図である。
【図４】従来の水槽を示す斜視図である。
【符号の説明】
【００２２】
１  水槽
３  水
５  錦鯉
７  貯水部の底部
９  支え台
３３  アダプタ部材
３５  曲線部
３７  引っ掛け部
３９  縁部
【図１】
0003130516.tif 000003
【図２】
0003130516.tif 000004
【図３】
0003130516.tif 000005
【図４】
0003130516.tif 000006